(57)【要約】【課題】表示面の均斉度の向上や軽量化などに有利な照明器具を提供する。【解決手段】照明器具１０は、表示面に情報が記載された透光性の第１パネル１４と、第１パネル１４に対向し、表示面に情報が記載された透光性の第２パネル１６と、第１パネル１４及び第２パネル１６を支持する筐体１２と、筐体１２の第１パネル１４及び第２パネル１６と直交する側面の１つに設けられ、第１パネル１４と第２パネル１６とに挟まれる空間に光を照射する光源５０と、筐体１２の光源５０が設けられた側面に対向する側面に設けられる反射部材２２とを備える。光源５０から照射される光は、狭角に設定され、反射部材２２は、光源５０から照射された光を光源５０の側に向けて正反射する。【選択図】図２
2018198162.tif 000002
【特許請求の範囲】
【請求項１】
表示面に情報が記載された透光性の第１パネルと、
前記第１パネルに対向し、表示面に情報が記載された透光性の第２パネルと、
前記第１パネル及び前記第２パネルを支持する筐体と、
前記筐体の前記第１パネル及び前記第２パネルと直交する側面の１つに設けられ、前記第１パネルと前記第２パネルとに挟まれる空間に光を照射する光源と、
前記筐体の前記光源が設けられた側面に対向する側面に設けられる反射部材と、
を備え、
前記光源から照射される光は、狭角に設定され、
前記反射部材は、前記光源から照射された光を前記光源の側に向けて正反射する、
照明器具。
【請求項２】
前記第１パネルを取り付ける前面板と、
前記第２パネルを取り付ける後面板と、
を備え、
前記前面板又は前記後面板は、前記光源が設置されている側面に近い側で、かつ、前記反射部材で正反射された光が到達する領域に、切り抜き部を有する、
請求項１に記載の照明器具。
【発明の詳細な説明】
【技術分野】
【０００１】
本開示は、サイン灯等に用いられる照明器具に関する。
【背景技術】
【０００２】
従来、駅名表示サイン灯や、店舗やビルディング等で使用されるサイン灯等に面光源として用いられる照明器具がある。
【０００３】
特許文献１は、厚み方向で対向する両面に透光性のパネルを有する筐体内に、光源の光を反射してパネルから外方へ出射させる反射部材を含む、中空導光式の照明器具を開示している。特に、ここでの反射部材は、以下の２つの反射片を含む。第１反射片は、厚み方向と交差する方向の一端側から他端側へいくほど一方のパネルに近接し、光源の光を一方のパネル側へ反射する。第２反射片は、厚み方向と交差する方向の一端側から他端側へいくほど他方のパネルに近接し、光源の光を他方のパネル側へ反射する。このような構成によれば、パネル上の表示面の均斉度を確保しつつ、照明器具全体の軽量化や薄型化を図ることができる。
【先行技術文献】
【特許文献】
【０００４】
【特許文献１】特開２００７−８０６８１号公報
【発明の概要】
【発明が解決しようとする課題】
【０００５】
特許文献１に開示されている照明器具においても、均斉度の確保や軽量化の実現を可能とするが、近年、更なる均斉度の向上や軽量化などが望まれている。
【０００６】
本開示は、このような従来技術の有する課題に鑑みてなされたものである。そして、本開示の目的は、表示面の均斉度の向上や軽量化などに有利な照明器具を提供することにある。
【課題を解決するための手段】
【０００７】
上記課題を解決するために、本開示の態様に係る照明器具は、表示面に情報が記載された透光性の第１パネルと、第１パネルに対向し、表示面に情報が記載された透光性の第２パネルと、第１パネル及び第２パネルを支持する筐体と、筐体の第１パネル及び第２パネルと直交する側面の１つに設けられ、第１パネルと第２パネルとに挟まれる空間に光を照射する光源と、筐体の光源が設けられた側面に対向する側面に設けられる反射部材と、を備え、光源から照射される光は、狭角に設定され、反射部材は、光源から照射された光を光源の側に向けて正反射する。
【発明の効果】
【０００８】
本開示によれば、表示面の均斉度の向上や軽量化などに有利な照明器具を提供することができる。
【図面の簡単な説明】
【０００９】
【図１】本開示の一実施形態に係る照明器具を示す図である。
【図２】図１中のＩＩ−ＩＩ断面を示す図である。
【図３】光源ユニットに含まれるカバーを切断した断面図である。
【図４】光源ユニットの配光曲線図である。
【図５】表示パネルの表示面上に設定した照度の測定位置を示す図である。
【発明を実施するための形態】
【００１０】
以下、本実施形態について図面等を参照しつつ詳細に説明する。以下の説明では、照明器具に含まれる表示パネルの表示面がＸＺ平面に平行であると想定し、この場合、Ｚ方向を鉛直方向と規定し、Ｘ方向をＺ方向に垂直な方向と規定する。そして、ＸＺ平面に対して垂直で、２つの表示パネルが互いに対向する方向をＹ方向と規定する。以下、Ｙ方向については、照明器具の全体形状に基づいて、「厚み方向」と表記する。
【００１１】
まず、本実施形態に係る照明器具の構成について説明する。図１は、本実施形態に係る照明器具１０を示す前面図である。図１では、便宜上、厚み方向で対向する２つの表示パネルのうちの第１パネル１４を、前面側の表示パネルと想定している。また、図１では、照明器具１０においてＸ方向マイナス側に相当する一部を切り欠いて描写し、内部構造を視認可能としている。また、図２は、図１中のＩＩ−ＩＩ断面を示す図である。ただし、図２では、要部を拡大して表示するために、中央領域の描画を一部省略している。
【００１２】
照明器具１０は、情報が記載された表示面を前面側と後面側との両方に有する表示パネルを設けて内側から光源により照射する、両面発光型の照明器具である。例えば、照明器具１０は、駅において、駅名表示のために用いられる駅名表示サイン灯に採用され得る。
【００１３】
照明器具１０は、筐体１２と、第１パネル１４と、第２パネル１６と、光源ユニット１８と、電源ユニット２０と、反射部材２２とを有する。
【００１４】
筐体１２は、厚み方向で対向する両面で第１パネル１４又は第２パネル１６を支持するとともに、その内部に、光源ユニット１８、電源ユニット２０及び反射部材２２を設置する。筐体１２は、第１パネル１４及び第２パネル１６で構成される表示面の大きさに対して厚み方向の厚みが薄くなる直方体状に形成されている。筐体１２の材質は、例えば、衝撃に強く、錆難いステンレス材とし得る。
【００１５】
筐体１２は、具体的には、厚み方向の両面が開口部を有する矩形状の枠体２４と、枠体２４の前面側の開口部を閉塞する前面板２６と、枠体２４の後面側の開口部を閉塞する後面板２８とを有する。
【００１６】
枠体２４は、天板部２４ａと、底板部２４ｂと、第１側板部２４ｃと、第２側板部２４ｄとを有する。天板部２４ａは、Ｘ方向を長手方向とし、第１側板部２４ｃ及び第２側板部２４ｄと比較して長尺の矩形板状である。底板部２４ｂは、Ｚ方向で天板部２４ａと対向し、天板部２４ａと同様に、Ｘ方向を長手方向として長尺の矩形板状である。第１側板部２４ｃと第２側板部２４ｄとは、Ｘ方向で互いに対向し、それぞれ、Ｚ方向を長手方向として、一端が天板部２４ａのＸ方向の端部から垂設され、他端が底板部２４ｂのＸ方向の端部に連結する矩形板状である。
【００１７】
本実施形態では、照明器具１０は、第１側板部２４ｃ及び第２側板部２４ｄ側から、駅ホーム等の天井部分に固定されるものとする。例えば、駅ホームの天井部分には、図１に示すように、照明器具１０を取り付けるための２本の吊り下げ部材１００が予め吊設されている。吊り下げ部材１００同士の間隔は、第１側板部２４ｃの外表面と第２側板部２４ｄの外表面との間の長さとおおよそ合っている。そして、例えば、第１側板部２４ｃの外表面又は第２側板部２４ｄの外表面に対向する吊り下げ部材１００の壁部には、ボルト１１０を螺合可能とする不図示のネジ孔が形成されている。一方、第１側板部２４ｃ及び第２側板部２４ｄは、吊り下げ部材１００に形成されている取り付け孔に合う位置に、ボルト１１０を挿通可能とする不図示の取り付け孔を有する。このような構成のもと、ボルト１１０が、第１側板部２４ｃ及び第２側板部２４ｄの内側から取り付け孔に挿入され、吊り下げ部材１００のネジ孔に螺着されることで、第１側板部２４ｃ及び第２側板部２４ｄが吊り下げ部材１００に結合される。これにより、照明器具１０が駅ホームの天井部分の所定位置に設置される。なお、照明器具１０は、駅ホーム等の天井部分に対して、ここでは第１側板部２４ｃ及び第２側板部２４ｄ側から固定されるものとしたが、例えば天板部２４ａ側から固定されるものとしてもよい。
【００１８】
また、枠体２４は、Ｘ方向の中間位置に、一端が天板部２４ａに接続され、他端が底板部２４ｂに接続される支持部材７０を備えてもよい。支持部材７０は、例えば、金属製の棒材である。照明器具１０の全体形状でみると、天板部２４ａ及び底板部２４ｂのＸ方向の寸法が長くなればなるほど、自重により天板部２４ａ又は底板部２４ｂに撓みが生じ、枠体２４が変形するおそれも考えられる。そこで、照明器具１０を構成する各要素の形状や重さを考慮しつつ、予め支持部材７０を枠体２４に設けることで、このような変形を抑えることができる。
【００１９】
前面板２６は、第１パネル１４を保持する板体である。前面板２６は、上端側についてはボルト３０と取り付け金具３２とを介して、下端側についてはボルト３４と取り付け金具３６とを介して、枠体２４に取り付けられる。ボルト３０及びボルト３４の枠体２４への締結を解除することで、前面板２６の枠体２４からの取り外しも可能である。
【００２０】
また、前面板２６は、第１パネル１４の表示面を露出させる略矩形状の開口部２６ａを有する。開口部２６ａの大きさは、後述するように光源ユニット１８及び電源ユニット２０を天板部２４ａの内側の取り付けた際に、これらのユニットが開口部２６ａを通じて外側から視認されない程度とする。第１パネル１４は、緩衝材４０を介して前面板２６の裏面に第１パネル１４を押し付ける取り付け金具４２と、取り付け金具４２を前面板２６側に固定するボルト４４との複数の組み合わせを用いて、前面板２６の裏面に取り付けられる。
【００２１】
さらに、前面板２６は、文字、数字又はマーク等の形状に切り抜かれた切り抜き部２６ｂを有する。切り抜き部２６ｂとしては、例えば、照明器具１０を採用する企業名や企業マーク又は照明器具１０の設置場所を示す番号など、様々なものが考えられる。なお、図１では、切り抜き部２６ｂの一例として、文字列「ＡＢＣ」を採用している。
【００２２】
切り抜き部２６ｂは、開口部２６ａが形成されている面と同一面に形成される。また、切り抜き部２６ｂは、前面板２６が枠体２４に取り付けられているときに、枠体２４における光源５０が設置されている側面に近い側の領域に形成される。特に、この領域の内側には、以下で詳説するが、反射部材２２で正反射された光が到達可能であることが望ましい。また、前面板２６は、切り抜き部２６ｂを内側から覆う透光プレート４６を有する。透光プレート４６の材質は、以下で説明する第１パネル１４等の材質と同様に、アクリル材等が採用され得る。透光プレート４６の表面には、切り抜き部２６ｂの形状となる文字等の一部分を接着することも可能である。
【００２３】
後面板２８は、第２パネル１６を保持する板体であり、その形状や構成は、前面板２６と同様である。特に、後面板２８は、前面板２６が有する開口部２６ａと同様の開口部２８ａを有する。また、後面板２８は、前面板２６が有する切り欠き部２６ｂと同様の切り欠き部２８ｂ、及び、前面板２６が有する透光プレート４６と同様の透光プレート４８を有する。
【００２４】
第１パネル１４及び第２パネル１６は、それぞれ、アクリル材等の透光性を有する平板部材である。ここで、例えば乳白色のアクリル材を用いることで、第１パネル１４及び第２パネル１６に、光源ユニット１８から照射された光を拡散する拡散板としての役割も持たせることができる。第１パネル１４及び第２パネル１６の表示面には、照明器具１０を設置する駅の駅名や、当該駅の前後の駅名等を示す文字が記載されている。
【００２５】
光源ユニット１８は、筐体１２内において、第１パネル１４と第２パネル１６とで挟まれた空間に光を照射する。照明器具１０は、光源ユニット１８がこのように光を照射する構成を採用することで、中空導光式とも言える。
【００２６】
光源ユニット１８は、複数の光源５０と、複数の光源５０を装着するベース５２と、複数の光源５０をそれぞれ覆うレンズ５４と、複数のレンズ５４を含む複数の光源５０の全体を覆うカバー５６とを含む。
【００２７】
光源５０は、ＬＥＤ（発光ダイオード）である。ベース５２は、複数の光源５０を所定の間隔で一列に配置する。本実施形態における光源ユニット１８は、一例として、７つの光源５０を含むものとする。レンズ５４は、アクリル材等の透光性の材料で形成される狭角レンズである。
【００２８】
図３は、カバー５６を、１つのレンズ５４の中心軸を通るようにＹＺ平面で切断した断面図である。カバー５６は、アクリル材等の透光性の材料で形成され、複数のレンズ５４におけるそれぞれの光の射出面と平行にＸ方向に延伸する正面壁５６ａと、一方の端辺が正面壁５６ａに連接し、他方の端辺がベース５２に接続される側壁５６ｂとを含む。ここで、正面壁５６ａは、レンズ５４の射出面に対向する内面に対して反対側となる外面上の領域に、多数のディンプルで構成される凹凸部５６ｃを有する。光源５０から照射された光は、凹凸部５６ｃを通ることで拡散し、均一化される。
【００２９】
光源ユニット１８は、第１パネル１４及び第２パネル１６のそれぞれの表示面に対して平行な方向に光を照射する。そこで、光源ユニット１８は、筐体１２内において、第１パネル１４及び第２パネル１６とそれぞれ直交する側面の一つの側に設置される。ここで、側面とは、枠体２４を構成するいずれかの板部の面をいい、具体的には、天板部２４ａ、底板部２４ｂ、第１側板部２４ｃ又は第２側板部２４ｄのいずれかの内面である。本実施形態では、一例として、４つの光源ユニット１８が、天板部２４ａに、Ｘ方向に一列に並設されているものとする。
【００３０】
光源ユニット１８は、取り付け金具５８と複数のボルト６０とを介して、天板部２４ａに設置される。取り付け金具５８は、光源ユニット１８に接触する第１板部５８ａと、第１板部５８ａに対向し、天板部２４ａに接触する第２板部５８ｂと、第１板部５８ａと第２板部５８ｂとを鉛直方向で連接させる第３板部５８ｃとを含む。ここで、第２板部５８ｂは、ボルト６０により天板部２４ａに固定される。この構成によれば、光源ユニット１８は、天板部２４ａの内面から鉛直方向下方に向かって吊り下げられた姿勢となる。
【００３１】
電源ユニット２０は、交流電流を直流電流に変換して、ＬＥＤである光源５０に電力を供給する。電源ユニット２０は、例えば、光源ユニット１８と天板部２４ａとの間の空間に設置される。この場合、電源ユニット２０は、光源ユニット１８を取り付けるための取り付け金具５８に併せて取り付けられてもよいし、又は、天板部２４ａに第２板部５８ｂを固定するためのボルト６０により併せて固定されてもよい。
【００３２】
反射部材２２は、光源５０から照射された光を光源５０の方向に反射させる。そこで、反射部材２２は、筐体１２内において、光源５０が設置されている側面に対向する面に設置されることが望ましい。また、反射部材２２は、入射した光を正反射させることが望ましい。そこで、反射部材２２としては、例えば、反射面に鏡面仕上げが施されたアルミ板等の金属板を採用し得る。又は、反射部材２２として、より簡易的に、表面に鏡面仕上げが施されたアルミテープであってもよい。
【００３３】
本実施形態では、光源ユニット１８が天板部２４ａに設置されているので、光源５０から照射された光は、底板部２４ｂに向かう。そこで、この場合には、反射部材２２は、反射面が光源ユニット１８すなわち光源５０に対向する姿勢で、底板部２４ｂの内面に設置される。
【００３４】
さらに、照明器具１０は、筐体１２内に、ブレーカー６２と、照明のオン・オフを切り替えるスイッチ６４とを有する。上述のとおり、本実施形態では、照明器具１０が駅ホーム等の天井部分に固定されることを想定している。そこで、スイッチ６４は、作業者がホーム上側から手が届きやすいように、一部が照明器具１０の外部に露出するように、底板部２４ｂに設置されていることが望ましい。一方、ブレーカー６２は、前面板２６又は後面板２８の少なくともいずれかを外した状態で、作業者がホーム上側から手が届きやすいように、第１側板部２４ｃ又は第２側板部２４ｄのいずれかに設置されていることが望ましい。
【００３５】
ここで、ブレーカー６２は、単に第１側板部２４ｃ又は第２側板部２４ｄのいずれかに設置されているだけであると、照明中、ブレーカー６２の形状の影が第１パネル１４又は第２パネル１６の表示面に写り込むおそれがある。そこで、照明時の見栄えを向上させるために、筐体１２内には、第１パネル１４又は第２パネル１６に対向するブレーカー６２のそれぞれの側面を覆い隠す遮蔽板６６が設けられていることが望ましい。
【００３６】
次に、照明器具１０の作用について説明する。
【００３７】
図４は、光源ユニット１８の配光曲線図である。図４中、実線は、管軸に垂直な場合を示し、破線は、管軸に平行な場合を示している。この場合の最大光度は、およそ７４００（ｃｄ／１０００（ｌｍ））である。光源ユニット１８では、光源５０がＬＥＤであるとともに、狭角のレンズ５４が用いられているので、光源ユニット１８は、図４に示すような中角配光を実現する。したがって、光源ユニット１８から照射された光の全体は、対向位置にある反射部材２２に向かうことになる。
【００３８】
照明器具１０は、このような光源ユニット１８を用いることにより、光源ユニット１８から照射された光は、図２中の矢印Ｌ１に示すように、反射部材２２に向けて進む。そして、その光は、反射部材２２の反射面で正反射し、図２中の矢印Ｌ２に示すように、光源ユニット１８に向けて進むことになる。
【００３９】
次に、照明器具１０による効果について説明する。
【００４０】
本実施形態に係る照明器具１０は、表示面に情報が記載された透光性の第１パネル１４と、第１パネル１４に対向し、表示面に情報が記載された透光性の第２パネル１６と、第１パネル１４及び第２パネル１６を支持する筐体１２とを備える。照明器具１０は、筐体１２の第１パネル１４及び第２パネル１６と直交する側面の１つに設けられ、第１パネル１４と第２パネル１６とに挟まれる空間に光を照射する光源５０を備える。また、照明器具１０は、筐体１２の光源５０が設けられた側面に対向する側面に設けられる反射部材２２を備える。光源５０から照射される光は、狭角に設定される。また、反射部材２２は、光源５０から照射された光を光源５０の側に向けて正反射する。
【００４１】
本実施形態に係る照明器具１０によれば、第１に、光源ユニット１８が中角配光を実現することで、光源５０から照射される光が狭角に設定される。また、反射部材２２は、光源５０とは対向する位置に設置されており、反射部材２２の反射面が鏡面仕上げされていることからも、光源５０から照射された光は、光源５０の側に向けて正反射される。これにより、特に反射部材２２の近傍の明るさが抑えられるので、第１パネル１４及び第２パネル１６の表示面の均斉度が向上する。
【００４２】
第２に、照明器具１０では、光源５０から照射された光を導く機構として、反射部材２２のみしか要求されない。すなわち、従来のように、照明器具１０の内部に、第１パネル１４等と同等の表面積を占める導光板等を設置する必要がないため、従来の照明器具よりも軽量化を図ることができる。また、本実施形態における反射部材２２は、アルミテープ等も採用可能であるので、このようなテープ材を用いることで、更なる軽量化を図ることができる。なお、従来用いられていた導光板等を採用する必要がないということは、その分だけコストを低減させることにもつながる。
【００４３】
第３に、第１及び第２の効果は、光源ユニット１８すなわち光源５０が筐体１２の１つの側面の側にあればよいので、照明器具１０全体の大きさをコンパクトにすることが可能となる。
【００４４】
第４に、光源５０としてＬＥＤを用いるので、従来の照明器具に比べて、省エネルギー化及び低コスト化を図ることができる。
【００４５】
また、本実施形態に係る照明器具１０は、第１パネル１４を取り付ける前面板２６と、第２パネル１６を取り付ける後面板２８とを備える。前面板２６又は後面板２８は、光源５０が設置されている側面に近い側で、かつ、反射部材２２で正反射された光が到達する領域に、切り抜き部２６ｂ，２８ｂを有する。
【００４６】
本実施形態に係る照明器具１０によれば、第１パネル１４及び第２パネル１６とは異なる領域でも、外部から視認可能な特定の表示を行うことができる。ここで、切り抜き部２６ｂ，２８ｂは、反射部材２２で正反射された光を利用して、内側から光が照射される。そのため、例えば、光源ユニット１８や電源ユニット２０等が設置されている近傍に、切り抜き部２６ｂ，２８ｂを配置することができる。したがって、切り抜き部２６ｂ，２８ｂを設ける領域を確保するために、第１パネル１４及び第２パネル１６の大きさを小さくする必要がない。一方、切り抜き部２６ｂ，２８ｂを設ける領域を確保するために、第１パネル１４及び第２パネル１６の大きさを変化させない代わりに、照明器具１０全体の大きさを大きくする必要もない。
【００４７】
なお、上記の説明では、１つの光源ユニット１８が、光源５０を等間隔で一列に７つ備え、また、照明器具１０全体としては、このような光源ユニット１８を等間隔で一列に４つ備えるものとした。しかし、光源ユニット１８の構成は、これに限定されるものではなく、特に光源５０の設置数や配置についても、状況に応じて適宜変更しても構わない。
【００４８】
ここで、照明器具１０が特に均斉度について有利であることを説明するために、第１パネル１４及び第２パネル１６の表示面上の複数の領域において本実施形態と比較例との場合で照度を測定し、比較した。
【００４９】
図５は、第１パネル１４の表示面を想定し、当該表示面上に設定した第１領域Ｒ１から第９領域Ｒ９までの９箇所の測定位置を示す概略図である。図５において、矩形全体は、第１パネル１４の表示面を含む、照明器具の側面全体を想定した形状を示す。なお、第２パネル１６についても、同一の条件で同一の結果が得られるため、図示等は省略する。図５中の破線は、４つの光源ユニット１８を含む光源ユニット全体の位置を示す。また、図５では、各領域Ｒの位置の寸法を、単位をｍｍとして記載している。
【００５０】
表１は、本実施形態に係り、色温度が６５００Ｋである場合での各領域Ｒでの照度の測定結果を示す。
【００５１】
【表１】
2018198162.tif 000003
【００５２】
表２は、比較例に係り、色温度が６５００Ｋである場合での各領域Ｒでの照度の測定結果を示す。ここで、比較例としての測定結果を得るための照明器具の構成は、本実施形態に係る照明器具１０の構成から、反射部材２２を削除したものである。
【００５３】
【表２】
2018198162.tif 000004
【００５４】
まず、表２に示す比較例の場合の測定結果を見ると、光源ユニット１８から離れた下部の領域、すなわち、第３領域Ｒ３、第６領域Ｒ６又は第９領域Ｒ９ほど、照度の値が大きくなっていることがわかる。また、光源ユニット１８近傍の領域の温度と、光源ユニット１８から離れた領域の温度との差も大きい。この測定結果は、第１パネル１４の表示面について明るさに大きくムラがある、すなわち好適な均斉度が得られていないことを示している。
【００５５】
これに対して、表１に示す本実施形態の場合の測定結果を見ると、各領域Ｒにおける照度は、おおよそ一定である。この測定結果は、第１パネル１４の表示面について明るさにムラが少ない、すなわち好適な均斉度が得られていることを示している。
【００５６】
以上、好ましい実施形態について説明したが、本実施形態は、これ限定されず、その要旨の範囲内で種々の変形及び変更が可能である。
【符号の説明】
【００５７】
１０    照明器具
１２    筐体
１４    第１パネル
１６    第２パネル
２２    反射部材
５０    光源
【図１】
2018198162.tif 000005
【図２】
2018198162.tif 000006
【図３】
2018198162.tif 000007
【図４】
2018198162.tif 000008
【図５】
2018198162.tif 000009